(57)【特許請求の範囲】
【請求項１】
エレベータドアの下端部に取り付けられ、当該エレベータドアの下端側に配設されたドア枠のガイド溝を摺動するドアシューであって、
上記エレベータドアの下端のフレームに上下に開口して設けられた第一のスリットを介して、上方から下方の上記ガイド溝へ延出し、上記ガイド溝内に延出した一端部が上記ガイド溝内を摺動するシャフトと、
上記エレベータドアのフレームの上方において、上記シャフトの一端部に取り付けられ、上記シャフトが上記第一のスリットから下方へ抜け出ることを規制するナットと、
上記エレベータドアのフレームに設けられている第一のスリットに対応した第二のスリットを備え、上記エレベータドアのフレームと上記ナットとの間に挟み込まれるブラケットと、を有し、
上記シャフトには、上記第一のスリットの周縁部に係止し、上記シャフトが上記第一のスリットから上方へ抜け出ることを規制する係止部が形成されており、
上記シャフトは、上記第二のスリットを介して上記ブラケットに挿通されている、
ことを特徴とするエレベータのドアシュー。
【請求項２】
上記シャフトの上記ガイド溝側に延出した一端部には緩衝部材が取り付けられている、
請求項１記載のエレベータのドアシュー。
【請求項３】
上記シャフトは断面円形の棒状部材からなり、上記ガイド溝内を回転可能に摺動する、
請求項１又は２記載のエレベータのドアシュー。
【請求項４】
エレベータドアの下端部に取り付けられ、当該エレベータドアの下端側に配設されたドア枠のガイド溝を摺動するドアシューを備えたエレベータドアであって、
上記エレベータのドアシューは、
上記エレベータドアの下端のフレームに上下に開口して設けられた第一のスリットを介して、上方から下方の上記ガイド溝へ延出し、上記ガイド溝内に延出した一端部が上記ガイド溝内を摺動するシャフトと、
上記エレベータドアのフレームの上方において、上記シャフトの一端部に取り付けられ、上記シャフトが上記第一のスリットから下方へ抜け出ることを規制するナットと、を有し、
上記シャフトには、上記第一のスリットの周縁部に係止し、上記シャフトが上記第一のスリットから上方へ抜け出ることを規制する係止部が形成されており、
上記エレベータドアのフレームに設けられているスリットは、上記エレベータドアの開閉方向に対して斜めの方向に長さを有する、
ことを特徴とするエレベータドア。
【発明の詳細な説明】
【技術分野】
【０００１】
本発明は、エレベータのドアの開閉に応じて、ドア枠のガイド溝を摺動するドアシューに関する。
【背景技術】
【０００２】
エレベータのドアは、ドアの開閉動作に応じて、ドアに設けられたドアシューがドア枠のガイド溝内を摺動するように構成されている。エレベータのドアは、利用の際に、開閉方向に対して直角な向きに応力がかかることがあり、当該応力は必然的にドアシューにかかることになる。そのため、ドアシューは、ドアにしっかりと固定されると共に、応力がかかった場合でもガイド溝内をスムーズに摺動することが必要である。
【０００３】
このようなドアシューの例として、特許文献１では、エレベータのドアの、開閉方向に沿った辺の少なくとも一辺に取り付けられ、前記開閉方向に沿って延びてドア枠に設けられた案内溝内に納まり、当該ドアの案内を行うエレベータのドアシューであって、前記ドアの辺部に取り付けられ、前記案内溝内に延びるシューフレームと、前記シューフレームに回動可能に支持され、前記案内溝の側壁と接触し転動するローラと、を有し、前記ローラのうち、ドアの開閉方向両端に位置する二つのローラは、これらのローラが互いに反対側の前記案内溝側壁に接触しようとする際には、前記シューフレームより先に前記案内溝側壁に当接し、前記シューフレームの案内溝側壁への接触を阻止する、エレベータのドアシューが提案されている。
また、特許文献２では、ガイドに沿って移動するドアに取付けられて、ドアの移動とともにガイドに従って移動し、ドアの移動方向に直角方向のドアの移動を規制するドアシューであって、前記ドアの移動の規制を保持しつつ、ガイドとドアシューの間の障害物を退避する方向に移動自在なことを特徴とするドアシューが提案されている。
【０００４】
【特許文献１】特開２００３−２５２５５７号公報
【特許文献２】特開２００２−３６２８６８号公報
【発明の開示】
【発明が解決しようとする課題】
【０００５】
しかしながら、上記特許文献１、２記載のドアシューはいずれも、ローラやローラの支持部材等、部品点数が多いため、コストがかかるし、ドアへの取り付けも簡便ではない。
【０００６】
そこで、本発明は、スムーズな摺動が可能でありながら、少ない部品点数でコストを削減できると共に、エレベータのドアへの取り付けも容易なドアシューを提供することを目的とする。
【課題を解決するための手段】
【０００７】
上記目的を達成するため、本発明に係るエレベータのドアシューは、エレベータドアの下端部に取り付けられ、当該エレベータドアの下端側に配設されたドア枠のガイド溝を摺動するドアシューであって、上記エレベータドアの下端のフレームに上下に開口して設けられた第一のスリットを介して、上方から下方の上記ガイド溝へ延出し、上記ガイド溝内に延出した一端部が上記ガイド溝内を摺動するシャフトと、上記エレベータドアのフレームの上方において、上記シャフトの一端部に取り付けられ、上記シャフトが上記第一のスリットから下方へ抜け出ることを規制するナットと、を有し、上記シャフトには、上記第一のスリットの周縁部に係止し、上記シャフトが上記第一のスリットから上方へ抜け出ることを規制する係止部が形成されていることを特徴とする。
【０００８】
また、上記シャフトの上記ガイド溝側に延出した一端部には緩衝部材が取り付けられているものとしてもよい。
【０００９】
また、上記シャフトは断面円形の棒状部材からなり、上記ガイド溝内を回転可能に摺動するものとしてもよい。
【００１０】
また、上記エレベータドアのフレームに設けられている第一のスリットに対応した第二のスリットを備え、上記エレベータドアのフレームと上記ナットとの間に挟み込まれるブラケット、をさらに有し、上記シャフトは、上記第二のスリットを介して上記ブラケットに挿通されているものとしてもよい。
【００１１】
また、本発明の別の観点に係るエレベータドアは、上記エレベータのドアシューを備えたエレベータドアであって、上記エレベータドアのフレームに設けられているスリットは、上記エレベータドアの開閉方向に対して斜めの方向に長さを有することを特徴とする。
【発明の効果】
【００１２】
本発明に係るドアシューよれば、スムーズな摺動が可能でありながら、少ない部品点数でコストを削減できると共に、エレベータのドアへの取り付けも容易である。
【図面の簡単な説明】
【００１３】
【図１】本発明の実施形態に係るエレベータドアのガイドシューが取り付けられたエレベータドアの外側を示した斜視図である。
【図２】本実施形態に係るエレベータドアのガイドシューが取り付けられたエレベータドアの内側を示した斜視図である。
【図３】本実施形態に係るエレベータドアのガイドシューが取り付けられたエレベータドアを示した図であって、（ａ）正面図、（ｂ）側面図である。
【図４】本実施形態に係るエレベータドアのガイドシューを示した分解斜視図である。
【図５】本実施形態に係るエレベータドアのガイドシューを構成するシャフトと緩衝部材を示した斜視図であって、（ａ）緩衝部材を取り付ける前の状態、（ｂ）緩衝部材を取り付けた状態を示す。
【図６】本実施形態に係るエレベータドアのガイドシューが取り付けられたエレベータドアを示した平面図である。
【図７】本実施形態に係るエレベータドアのガイドシューが取り付けられたエレベータドアを示した図６の部分拡大図において、（ａ）Ａ部分、（ｂ）Ｂ部分を示す。
【発明を実施するための形態】
【００１４】
図１から図３により、本発明の実施形態に係るエレベータのドアシュー１を示す。なお、図１から図３はいずれも、エレベータドア２の下方部分を部分的に示した図である。
ドアシュー１は、エレベータドア２の下端部に取り付けられ、エレベータドア２の下方に配設されたドア枠３に設けられたガイド溝３ａを摺動する部材である。このドアシュー１が、エレベータドア２の開閉方向に延びるガイド溝３ａを摺動することで、エレベータドア２がガイド溝３ａに沿って開閉する。
【００１５】
ここで、エレベータドア２及びドア枠３の構造について説明しておくと、エレベータの出入口には略矩形状のドア枠３が設けられている。ドア枠３は、下方の敷居枠３１、左右に配された一対の縦枠３２、上方の天井枠（図示省略）で構成されている。そして、ドア枠３の左右に設けられたエレベータドア２の収納部（図示省略）から一対のエレベータドア２が出入することによって、エレベータの出入口が開閉する。
ドア枠３の敷居枠３１には、エレベータドア２の開閉方向に沿ってガイド溝３ａが設けられており、エレベータドア２はこのガイド溝３ａにガイドされて開閉する。
【００１６】
また、エレベータドア２の下端部には、図４に示されるようにフレーム２１が取り付けられている。このフレーム２１には、ドアシュー１を上方から下方のガイド溝３ａへ挿通させるためのスリット２１ａが形成されている。
【００１７】
スリット２１ａは、エレベータドア２の開閉方向に対して斜めの方向に長さを有しており、一端部に形成されている略円形状の挿通部２１１ａと、一定の幅と長さで構成された嵌合部２１２ａとからなる。
挿通部２１１ａは、嵌合部２１２ａの幅よりも大きな直径を有しており、嵌合部２１２ａの周縁部に係止するガイドシュー１のシャフト１１の係止部１１３（図５により後述）が、当該挿通部２１１ａのみを介して挿通可能になっている。
また、嵌合部２１２ａには、ガイドシュー１のシャフト１１の嵌合部１１２（図５により後述）が長さ方向に摺動可能に嵌合する。
【００１８】
本実施形態に係るドアシュー１は、図４に示されるように、シャフト１１、緩衝部材１２、ナット１３、及びブラケット１４から構成される。
【００１９】
シャフト１１は、断面円形の棒状部材である。
このシャフト１１はさらに、図５に示されるように、螺合部１１１、嵌合部１１２、係止部１１３、及び摺動部１１４から構成される。
【００２０】
螺合部１１１は、フレーム２１のスリット２１ａ及びブラケット１４のスリット１４ａの幅よりも大きな径を有するナット１３が端部に螺合する棒状の部分である。ナット１３が螺合する端部には、外周面にネジ溝が切られており（図示省略）、これによりナット１３が螺合部１１１に螺合させられると、ナット１３は、シャフト１１がスリット１４ａ及びスリット２１ａを介して下方、即ちガイド溝３ａ側へ抜け出るのを規制する。
【００２１】
嵌合部１１２は、フレーム２１のスリット２１ａ及びブラケット１４のスリット１４ａに嵌合する断面四角形状の部分である。この嵌合部１１２は、一定の長さを有するスリット２１ａ及びスリット１４ａに嵌合した状態で、スリット２１ａ及びスリット１４の長さ方向に沿って摺動可能になっている。
【００２２】
係止部１１３は、外側へ拡径した部分であって、スリット２１ａの周縁部に下方あるいはガイド溝３ａ側から係止する部分である。
この係止部１１３は、スリット２１ａの嵌合部２１２ａの幅よりも大きな直径を有している。これにより、スリット２１ａの周縁部に係止して、シャフト１１がスリット２１ａを介して下方から上方へ抜け出るのが規制される。
また、係止部１１３の径は、スリット２１ａの挿通部２１１ａの径と同じ径あるいは挿通部２１１ａの径よりも僅かに小さい径からなる。これにより、挿通部２１１ａを介してのみ、シャフト１１の係止部１１３の部分を上方から下方へ挿通させることができる。
【００２３】
摺動部１１４は、ブラケット１４のスリット１４ａ及びフレーム２１のスリット２１ａを介して下方あるいはガイド溝３ａ側へ延出する棒状の部分であって、端部には緩衝部材１２が取り付けられる。この摺動部１１４は、ドア枠３のガイド溝３ａ内をエレベータドア２の開閉動作に応じて摺動する。
【００２４】
このような構成からなるシャフト１１は、エレベータドア２の開閉動作に応じてガイド溝３ａａ内を摺動する際、周方向に回転可能に設けられている。これにより、エレベータドア２の開閉動作がスムーズに行えるようになっている。
【００２５】
緩衝部材１２は、少なくとも一端に開口部１２ａが形成された中空の略円筒形状からなる部材である。この緩衝部材１２は、軟性樹脂等からなり、開口部１２ａからシャフト１１の摺動部１１４が挿し込まれる。
このように、緩衝部材１２がシャフト１１の端部に取り付けられていることにより、シャフト１１に対してガイド溝３ａの内壁からかかる応力が軽減され、ドアシュー１の破損等を防ぐことができる。
【００２６】
ナット１３は、シャフト１１の螺合部１１１に螺合する部材であって、内周面にネジ溝が形成されている。このナット１３は、ブラケット１４のスリット１４ａやフレーム２１のスリット２１ａの幅よりも大きな直径を有している。これにより、ナット１３はスリット１４ａの周縁部に係止し、ナット１３が端部に取り付けられたシャフト１１が、スリット１４ａ及びスリット２１ａを介して上方から下方へ抜け出ないようになっている。
【００２７】
ブラケット１４は、エレベータドア２のフレーム２１とナット１３の間に挟み込まれる部材であり、シャフト１１の摺動に応じて、ナット１３が直接、フレーム２１上を摺動してフレームが痛むのを防ぐ。
このブラケット１４には、フレーム２１のスリット２１ａに対応して、スリット２１ａと同じ長さと幅からなり、エレベータドア２の開閉方向に対して斜めの方向に長さを有する略長方形状のスリット１４ａが形成されている。このスリット２１ａには、シャフト１１の螺合部１１１が挿通されると共に、シャフト１１の嵌合部１１２が長さ方向に摺動可能に嵌合する。
【００２８】
ここで、スリット１４ａの端部には、フレーム２１のスリット２１ａと異なり、挿通部２１１ａの様な略円形状の部分は形成されていない。これにより、シャフト１１の係止部１１３は、フレーム２１のスリット２１ａの挿通部２１１ａの位置にあっても、ブラケット１４のスリット１４ａの周縁に係止することになり、シャフト１１がスリット２１ａ及びスリット１４ａを介して下方から上方へ抜け出ることがない。
【００２９】
また、図６及び図７にも示されるように、ブラケット１４のスリット１４ａとフレーム２１のスリット２１ａは共に、開閉方向に対して斜めの向きに一定の長さを有している。
これにより、エレベータドア２やドア枠３の製作精度や据付状態のバラつきによらず、一対のエレベータドア２の表面を面一に調整したり、エレベータドア２とドア枠３との隙間を調整したりすることができる。即ち、図７（ａ）に示されるように、スリット１４ａ及びスリット２１ａの長さ方向の適宜の箇所にシャフト１１を固定させることで、エレベータドア２の前後への張り出し具合を微調整し、一対のエレベータドア２の表面を面一に揃えることができる。また、図７（ｂ）に示されるように、同様にしてスリット１４ａ及びスリット２１ａの長さ方向の適宜の箇所にシャフト１１を固定させることで、縦枠３２とエレベータドア２の表面との間に生じる隙間を上下で均一となるように調整することができる。
また、このブラケット１４のスリット１４ａとフレーム２１のスリット２１ａにより、エレベータドア２に対し、開閉方向に対して直角な向きに応力が発生した場合でも、シャフト１１は、スリット１４ａやスリット２１ａの長さ方向に移動しながら、応力を吸収することができる。
【００３０】
このような構成からなるドアシュー１をエレベータドア２に取り付ける工程を説明する。
まず、ブラケット１４のスリット１４ａに、下方からシャフト１１を挿通させ、シャフト１１の端部にナット１３を螺合させる。そして、フレーム２１のスリット２１ａの挿通部２１１ａを介して、シャフト１１をフレーム２１の下方へ挿通させる。それから、シャフト１１をスリット２１ａの嵌合部２１２ａ側へずらし、嵌合部２１ａを嵌合部２１２ａに嵌合させる。なお、緩衝部材１２はどのタイミングでも取り付けが可能である。
これだけの作業により、ドアシュー１をエレベータドア２に取り付けることができる。
【００３１】
以上の本実施形態に係るエレベータのドアシュー１によれば、スムーズな摺動が可能でありながら、少ない部品点数でコストを削減できると共に、エレベータドア２への取り付けも容易である。
【００３２】
なお、以上の本実施形態に係るエレベータドア２においては、ブラケット１４を設けることが好ましいが、ブラケット１４を省略することもでき、その場合には、ナット１３がフレーム２１のスリット２１ａの周縁に係止する。
【符号の説明】
【００３３】
１      ガイドシュー
１１    シャフト
１１１  螺合部
１１２  嵌合部
１１３  係止部
１１４  摺動部
１２    緩衝部材
１２ａ  開口部
１３    ナット
１４    ブラケット
１４ａ  スリット
２      エレベータドア
２１    フレーム
２１ａ  スリット
３      ドア枠
３１    敷居枠
３２    縦枠
３ａ    ガイド溝
【図１】
0006628281.tif 000002
【図２】
0006628281.tif 000003
【図３】
0006628281.tif 000004
【図４】
0006628281.tif 000005
【図５】
0006628281.tif 000006
【図６】
0006628281.tif 000007
【図７】
0006628281.tif 000008